(57)【要約】【課題】ペリア方式或いは新ペリア方式の隠しホールの決定から、公平かつ公正に各プレイヤーのハンディを決め、そのハンディに従ってスコアの集計を行って成績順位を決め、成績等をスクリーン画面に映し出してコンペ参加者の感激度を高めるゴルフスコア集計連動表彰式発表システムを提供する。【解決手段】ゴルフ表彰式場に設置された情報処理部と、情報処理部で処理された情報をスクリーン画面に映像する映像部とで構成され、情報処理部に隠しホール及び全プレイヤーのスコアを入力し、隠しホールに基づいた全プレイヤーのハンディを新ペリア若しくはペリア方式で計算して後、全プレイヤーの成績順位を求め、情報処理部に入力された順位に該当するプレイヤー及びその成績を発表してゴルフコンペの表彰式を行う。【選択図】図１
2008279166.tif 000002
【特許請求の範囲】
【請求項１】
ゴルフ表彰式場に設置された情報処理部と、前記情報処理部で処理された情報をスクリーン画面に映像する映像部とで構成され、前記情報処理部に隠しホール及び全プレイヤーのスコアを入力し、前記隠しホールに基づいた前記全プレイヤーのハンディキャップを新ペリア若しくはペリア方式で計算して後、前記全プレイヤーの成績順位を求め、前記情報処理部に入力された順位に該当するプレイヤー及びその成績を発表してゴルフコンペの表彰式を行い得るようにしたことを特徴とするゴルフスコア集計連動表彰式発表システム。
【請求項２】
前記プレイヤー及びその成績を前記スクリーン画面に映像させると共に、広告を映像するようになっている請求項１に記載のゴルフスコア集計連動表彰式発表システム。
【請求項３】
前記ゴルフコンペの表彰式を音声を伴って行うようになっている請求項１又は２に記載のゴルフスコア集計連動表彰式発表システム。
【請求項４】
更に前記情報処理部に接続されたプリンタを具備しており、前記全プレイヤーの成績及び個人成績を印刷して配布できるようになっている請求項１乃至３のいずれかに記載のゴルフスコア集計連動表彰式発表システム。
【請求項５】
前記情報処理部がパソコンである請求項１乃至４のいずれかに記載のゴルフスコア集計連動表彰式発表システム。
【発明の詳細な説明】
【技術分野】
【０００１】
本発明は、ゴルフコンペの表彰式場において公正に隠しホール（ハンディホール）を決め、隠しホールに連動させてハンディキャップを決めて後にプレイヤーのスコアの集計を行って成績順位等を決め、ゴルフコンペ関係者がスクリーン画像（画像表示装置等を含む）の映像を見ながら表彰式を進行させると共に、雰囲気を盛り上げて表彰式を開催できるようにしたゴルフスコア集計連動表彰式発表システム関する。
【背景技術】
【０００２】
ゴルフ競技は、アメリカはもとより日本においても広く普及しており、多数のプレイヤーが参加して行うゴルフコンペ（大人数のゴルフ大会や小規模なゴルフ会等を含む）も良く開催される。このように多数のプレイヤーが参加して行われるゴルフコンペでは、競技終了後に成績発表や表彰式を行うのが通常である。
【０００３】
プレイヤーの成績順位を決めて表彰を行う場合、各自スコアを各自所有若しくは申告のハンディキャップで差し引いたネットスコアで成績順位を決めるハンディ方式もあるが、ハンディキャップの基準がゴルフ場によって異なったり、自己申告によるハンディキャップの場合には公平性に欠ける欠点がある。
【０００４】
そのため、隠しホール（ハンディホール）を決めてハンディキャップの公平さを担保するペリア方式或いは新ペリア方式と称するゲーム方式が普及しており、決められた隠しホールでのスコア合計からハンディキャップを決め、そのハンディキャップに基づいてネットスコアを計算して順位を決めることが多い。
【０００５】
その場合、隠しホールによってハンディキャップも変わり順位も大きく左右されるため、公平性及び公正性の観点から、隠しホールを決めるのは競技関係者ではなく、ゴルフ場のキャディマスター室等でその日の隠しホールが予め決められている。そして、競技終了後にキャディマスター室等から当日の隠しホールを聞いてコンペ参加者に発表し、その通知された隠しホールに基づいてハンディキャップを計算し、そのハンディキャップに従ってスコアを計算し、そのスコアで成績発表や表彰式を行っているのが通常である。
【特許文献１】特開２００６−３３４４３３号公報
【特許文献２】特開２００６−３５０４００号公報
【特許文献３】特開２００７−１４４８７号公報
【発明の開示】
【発明が解決しようとする課題】
【０００６】
しかしながら、上述のようにゴルフ場のキャディマスター室等がその日の隠しホールを予め決めている場合であっても、その秘密性は完全なものではなく、洩れる可能性もあり、公平性や公正性が保たれるものでもない。また、ゴルフ競技終了後にキャディマスター室等から聞いてコンペ参加者に隠しホールを発表する場合、ゴルフコンペ参加者の全員の成績はゴルフ場のパソコン等で計算されて紙に印刷され、その印刷された成績表を表彰式場に持って来るため感激度も低く、その成績の信憑性が問題になることもあり、コンペ参加者には満足感が得られていない。また、スクリーン画面に成績等が表示されないので、盛り上がり感や臨場感に乏しいものである。
【０００７】
そのため、隠しホールが予め決められている表彰式ではなく、表彰式場で参加者が集まっている皆の前で公平かつ公正に決め、その決められた隠しホールに基づいてハンディキャップを決め、そのハンディキャップに従って成績順位を決めて表彰を行うことが望まれる。また、成績や順位も参加者全員が見れるスクリーン画面に映し出され、全員参加式に表彰式を盛り上げることが望まれる。
【０００８】
本発明は上述のような事情よりなされたものであり、本発明の目的は、ゴルフコンペにおける成績順位を決めるペリア方式或いは新ペリア方式の隠しホール（ハンディホール）の決定から、公平かつ公正に各プレイヤーのハンディキャップを決め、そのハンディキャップに従ってスコアの集計を行って成績順位を決め、成績等をスクリーン画面に映し出してコンペ参加者の感激度が高く、盛り上がり感や臨場感の高いゴルフスコア集計連動表彰式発表システムを提供することにある。
【課題を解決するための手段】
【０００９】
本発明はゴルフスコア集計連動表彰式発表システムに関し、本発明の上記目的は、ゴルフ表彰式場に設置された情報処理部と、前記情報処理部で処理された情報をスクリーン画面に映像する映像部とで構成され、前記情報処理部に隠しホール及び全プレイヤーのスコアを入力し、前記隠しホールに基づいた前記全プレイヤーのハンディキャップを新ペリア若しくはペリア方式で計算して後、前記全プレイヤーの成績順位を求め、前記情報処理部に入力された順位に該当するプレイヤー及びその成績を発表してゴルフコンペの表彰式を行い得るようにすることにより達成される。
【００１０】
また、本発明の上記目的は、前記プレイヤー及びその成績を前記スクリーン画面に映像させると共に、広告を映像することにより、或いは前記ゴルフコンペの表彰式を音声を伴って行うようにすることにより、或いは更に前記情報処理部に接続されたプリンタを具備しており、前記全プレイヤーの成績及び個人成績を印刷して配布することにより、或いは前記情報処理部がパソコンであることにより、より効果的に達成される。
【発明の効果】
【００１１】
本発明のゴルフスコア集計連動表彰式発表システムによれば、成績順位決定の大きなキーとなるハンディキャップを決めるのに、隠しホールをコンペ参加者の前で決定するようにしているので、公平性若しくは公正さを確保できると共に、公正なハンディキャップに従って成績順位が決められるので、誰もが満足し、不満もなくゴルフコンペ表彰式を盛り上げることができる。
【００１２】
また、表彰式の途中で成績発表に併せてスクリーン画面に広告も映し出すことができ、ゴルフコンペと連携した広告機能も広く発揮できる。
【発明を実施するための最良の形態】
【００１３】
本発明は図１に示すように、表彰式場１に机等の操作台２が設置され、操作台２上に情報処理部としてのパソコン１０が載置されると共に、成績等を印刷して配布するプリンタ２０と、スクリーン画面３１にゴルフコンペの成績や広告等を映し出す投影部３０が設置されている。投影部３０に対応した位置にスクリーン画像３１が配置され、スクリーン画像３１はスクリーン台３２の上部に取り付けられている。
【００１４】
また、内部構成は図２に示すように、全体を制御すると共に、種々の演算機能を有するパソコン１０内のＣＰＵ１１と、文字や数字等を入力するためのキーボードやマウス等で成る入力部１２と、ＲＯＭにプログラムを内蔵すると共に、ＲＡＭで情報の作業領域を形成するパソコン１０内のメモリ１４と、パソコン１０の操作者にデータを表示したり、ガイダンスを表示する表示部１３と、必要に応じて音楽や言葉等を出力する音声出力部１５と、スクリーン画面３１に成績順位や広告等の画像、文字等を投影する投影部３０と、ゴルフコンペの成績表等を紙に印字出力するプリンタ２０とで構成されている。なお、入力部１２はイメージリーダを具備しており、画像情報をイメージで取り込むことも可能である。
【００１５】
また、ＣＰＵ１１とメモリ１４とで構成される本発明の機能部４０は、図３に示す構成となっている。
【００１６】
各ホールのパー数を設定するパー数設定部４１と、決められた隠しホールを設定する隠しホール設定部４２と、コンペ参加者の氏名及びホール毎のスコアを記憶する氏名・スコア記憶部４４と、ペリア方式又は新ペリア方式の切替え信号ＰＳに従い、設定されたパー数、設定された隠しホール、記憶されている氏名・スコアＮＳに基づいて各プレイヤーのハンディキャップＨＤＣＰを計算するハンディキャップ計算部４３とが設けられている。
【００１７】
更に計算されたハンディキャップＨＤＣＰ及び氏名・スコア記憶部４４からの氏名・スコアＮＳに基づいて各プレイヤーのネットスコアを計算するネットスコア計算部４５と、計算されたネットスコアに基づいて成績を順番に配列する成績配列部４６と、同スコアのプレイヤーがいたときに所定の基準（例えばハンディキャップ、生年月日（年齢）等）に基づいて順番を修正する同スコア修正部４７と、修正された配列にニアピン、ドラコン等の特別賞を入力し、最終的な成績表を作成する成績表作成部４８とが設けられている。
【００１８】
本発明のシステムはゴルフ場が有するシステムとは独立しており、コンペ集計と表彰式専用の機器となっている。そのため、プレイヤーがゴルフスコアを提出するアテスト場で自分のスコアを確認することができる。そのため、ゴルフ場側は、プレイヤーが記載した乱雑な数字の読み違いや人為的な入力ミスによる集計間違いを防止することができる。
【００１９】
このような構成において、その動作例を図４のフローチャートを参照して説明する。なお、本例は新ペリア方式の成績発表であるが、ペリア方式でも同様である。
【００２０】
先ず表彰式の開催に当たって入力部１２よりゴルフ場に関する基本データ（例えば日付、ゴルフ場名、ゴルフコンペ名称、各ホールのパー数等）を入力する（ステップＳ１０）。ゴルフ場の各ホールのパー数はパー数設定部４１に設定される。各ホールのパー数の入力は、図５に示すように１番ホール“３”、２番ホール“４”のように順次入力する。
【００２１】
また、ゴルフコンペの表彰式に広告をする企業があれば、その広告データを画像や文字等で入力する（ステップＳ１１）。画像の場合には、イメージリーダを用いて入力しても良い。広告企業の広告データ（画像や文字等）は、予め企業とコンペ主催者若しくはゴルフ場との連携によって、パソコン１０内のメモリ１４に格納しておいても良い。有名なゴルフ場であればあるほどプレイする者も多く、ゴルフコンペも頻繁に開催されるので、企業がコンペ表彰式で広告を出すことは営業的に非常に価値の高いものである。
【００２２】
その後、コンペ参加者（プレイヤー）の氏名、各プレイヤーの全ホールのスコアを図６に示すように入力部１２で入力し（ステップＳ１２）、コンペ参加者全員の氏名及びスコアを入力する（ステップＳ１３）。プレイヤーの氏名と各ホールのスコアは、氏名・スコア記憶部４４に記憶される。なお、図６において、プレイヤーの氏名及び各ホールのスコア入力は、例えばプレイヤーの氏名“山田一郎”を入力し、１番ホール“６”、２番ホール“３”、・・・、１８番ホール“６”のように入力し、プレイヤー“山田一郎”の入力が終わると、次のプレイヤー“山田二郎”について同様に入力する。この段階では、図６の各プレイヤーの各ホールのスコア、アウトコースのスコア、インコースのスコア及びグロススコアが表示されるだけであり、全プレイヤーの氏名・スコアが入力された段階でグロスでの成績が計算されて表示される。なお、“Ｐｒｉｚｅ”欄は、同スコアになった場合に使用するフラグエリアであり、同スコア修正部４７は“Ｐｒｉｚｅ”欄のフラグの有無から同スコアの成績順位を修正する。
【００２３】
次に、隠しホール（ハンディホール）を表彰式場で皆が見ている場所で、阿弥陀やくじ等で公正に決定し、決定した隠しホールを入力して隠しホール設定部４２に設定する（ステップＳ２０）。ペリア方式ではアウト・イン各３ホルールずつを決め、新ペリア方式ではアウト・イン各６ホルールずつをパー数が“４８”になるように決め、スクリーン画面３１に決定した隠しホールを映し出して参加者に報知する（ステップＳ２１）。図７は隠しホールのスクリーン画面３１での表示例である。図８には決定された隠しホールとパーとの関係が示されており、隠しホールの全てのパー数は“４８”となっている。予め決められている隠しホールをマスター室等から聞いて来てただ発表するのとは異なり、コンペ表彰式場での公正な隠しホールの決定であり、表彰式が一層盛り上がる。
【００２４】
なお、隠しホールの決定はパソコン１０を用いてランダムに選択して決定することも可能であるが、パソコンのような電子情報処理システムを用いるとプレイヤーや参加者の目で確認できないと共に、プログラムで任意に決定できるため、信用性が希薄になる問題がある。皆が見ている目の前で、くじ等で行うことが最も公平かつ公正である。
【００２５】
上述のようにして隠しホールが決定されると、各プレイヤーのハンディキャップが下記（１）式に従って、ハンディキャップ計算部４３で計算される（ステップＳ２２）。ハンディキャップ計算部４３は、隠しホールの氏名・スコアＮＳに該当するスコアを加算し、その加算結果を９ホールに換算するために１．５倍し、その乗算値からパー数合計“７２”を減算し、その減算値に０．８を乗算してハンディキャップＨＤＣＰを計算する。本例は新ペリア方式であるため、切替え信号ＰＳは“新ペリア”となっている。また、本例はパー７２のゴルフ場の場合であり、パー７１のゴルフ場では下記（１）式中の“７２”は“７１”となる。
〔隠しホールのスコア合計×（９／６）−７２〕×０．８        ・・・・（１）
図６におけるプレイヤー“山田一郎”及び“山田二郎”について、上記（１）式に従ってハンディキャップＨＤＣＰを計算すると、下記（２）式及び（３）式となり、プレイヤー“山田一郎”のハンディキャップＨＤＣＰは“１０．８”となり、プレイヤー“山田二郎”のハンディキャップＨＤＣＰは“１５．６”となる。その結果を図９に示す。
山田一郎のハンディキャップ：
〔５７×（９／６）−７２〕×０．８＝１０．８            ・・・（２）
山田二郎のハンディキャップ：
〔６１×（９／６）−７２〕×０．８＝１５．６            ・・・（３）
このようにして各プレイヤーのハンディキャップＨＤＣＰが決定されると、次にハンディキャップＨＤＣＰに基づいてネットスコアを計算し、ゴルフコンペの成績順位を配列する（ステップＳ２３）。ネットスコアの計算は、ネットスコア計算部４５において自己のスコア合計からハンディキャップＨＤＣＰを減算することによって行われる。そして、成績配列部４６は、計算されたネットスコアに従って全プレイヤーの配列を成績順に配列し、同スコア修正部４７は同スコア者がいないか否かを判定し、同スコア者がいる場合には所定の基準（例えばハンディキャップＨＤＣＰの小さい方を上位としたり、誕生日の古い方を上位とする）に従って修正し、成績表作成部４８が図１０に示すよう最終的な成績表を作成する。成績表作成部４８にはニアピンやドラコン等の特別賞のデータが入力され、成績表にはこれら特別賞も付加されて記憶される。この段階では成績表は内部データとして保持しているだけであり、スクリーン画面３１には表示されない。
【００２６】
そして表彰式となり、ゴルフコンペ表彰式の司会者若しくは競技主催者が順位、例えばＢＢ、２０位、３位、２位、優勝等を入力すると（ステップＳ３０）、その入力された順位に該当するプレイヤー名や成績が表示される（ステップＳ３１）。例えば表彰のために飛び賞の「１５位」、「２０位」等を入力すると、それに該当するプレイヤーの成績等が図１１に示すように表示される。また、表彰のために成績上位の「ベスト１０」を入力すると、図１２に示すような導入画面に続いて、図１３に示すような順位８位〜１０位の画面、図１４に示すような順位５位〜７位の画面、図１５に示すような順位２位〜４位の画面が表示される。
【００２７】
このような表彰に当たって、音楽等の効果音を出せば尚一層表彰式を盛り上げることができる。また、図１３〜図１５に示すような画面をプリントアウトして配布し、記念品としても良い。
【００２８】
なお、表彰式の入力は予め設定されたコンペ計画書等に基づいて、自動的に入力することも可能である。
【００２９】
そして、最後は優勝の発表であるが、その前に雰囲気を盛り上げる意味を込めて、図１６に示すような広告を表示してコンペ参加者に企業アピールや営業等を行う（ステップＳ３２）。
【００３０】
この後、表彰のために「優勝」を入力すると、図１７に示すような導入画面を経て図１８に示すような優勝者の表示と成績を発表して表彰を行う。併せて、ドラコンやニアピン、ベスグロ等の特別賞についても成績発表を行う。図１９はニアピンの表彰画面例であり、図２０はベスグロやブービー等の表彰画面例である。
【００３１】
その後、全部の成績をプリンタ２０で印刷して配布する。印刷する内容は図１０で示すような全体の成績と、図２１に示すような個人の成績である。
【００３２】
なお、上述では投影部３０を介してスクリーン画面３１に投影して画像等を表示するようにしているが、大型の画像表示装置を設置して直接表示してコンペ参加者が見れるようにしても良い。また、図１の構成はあくまで表彰式会場の一例であり、その配置や構造は適宜変更可能である。
【図面の簡単な説明】
【００３３】
【図１】本発明システムの外観構成例を示す外観図である。
【図２】本発明の内部構成の一例を示すブロック図である。
【図３】本発明の機能部の構成例を示すブロック図である。
【図４】本発明の動作例を示すフローチャートである。
【図５】ゴルフ場のパー数の例を示す図である。
【図６】各プレイヤーのスコア入力画面の一例を示す図である。
【図７】隠しホール発表の画面例を示す図である。
【図８】隠しホール決定画面例を示す図である。
【図９】隠しホールのスコア例とハンディキャップの例を示す図である。
【図１０】コンペ成績表の一例を示す図である。
【図１１】成績発表（飛び賞）の画面例を示す図である。
【図１２】成績発表の画面例を示す図である。
【図１３】成績発表（８〜１０位）の画面例を示す図である。
【図１４】成績発表（５〜７位）の画面例を示す図である。
【図１５】成績発表（２〜４位）の画面例を示す図である。
【図１６】広告の画面例を示す図である。
【図１７】優勝の導入画面例を示す図である。
【図１８】優勝の画面例を示す図である。
【図１９】成績発表（ニアピン）の画面例を示す図である。
【図２０】成績発表（ベスグロ）の画面例を示す図である。
【図２１】個人成績の印刷例を示す図である。
【符号の説明】
【００３４】
１                  表彰式場
２                  操作台
１０                パソコン
１１                ＣＰＵ
１２                入力部
１３                表示部
１４                メモリ
１５                音声出力部
２０                プリンタ
３０                投影部
３１                スクリーン画面
３２                スクリーン台
４１                パー数設定部
４２                隠しホール設定部
４３                ハンディキャップ計算部
４４                氏名・スコア記憶部
４５                ネットスコア計算部
４８                成績表作成部
【図１】
2008279166.tif 000003
【図２】
2008279166.tif 000004
【図３】
2008279166.tif 000005
【図４】
2008279166.tif 000006
【図５】
2008279166.tif 000007
【図６】
2008279166.tif 000008
【図７】
2008279166.tif 000009
【図８】
2008279166.tif 000010
【図９】
2008279166.tif 000011
【図１０】
2008279166.tif 000012
【図１１】
2008279166.tif 000013
【図１２】
2008279166.tif 000014
【図１３】
2008279166.tif 000015
【図１４】
2008279166.tif 000016
【図１５】
2008279166.tif 000017
【図１６】
2008279166.tif 000018
【図１７】
2008279166.tif 000019
【図１８】
2008279166.tif 000020
【図１９】
2008279166.tif 000021
【図２０】
2008279166.tif 000022
【図２１】
2008279166.tif 000023